(57)【要約】【課題】モータの回転を確実に回転ドラムに伝達し、回転ドラムを安定して回転させる。【解決手段】本体２３内に回転自在に設けた回転ドラム２２と、回転ドラム２２を駆動するモータ２８と、加熱手段３１により加熱された乾燥用空気を回転ドラム２２内に送風する送風ファン２９と、回転ドラム２２の前部を下方から支持する複数の第１のローラー２６ａ、２６ｂとを備え、回転ドラム２２は、後部を支持部２７で支持するとともに、前部の外周部に複数の第１のローラー２６ａ、２６ｂを当接し、少なくともその１つは、モータ２８の回転を回転ドラム２２に伝達して回転ドラム２２を回転させるようにしたものである。【選択図】図１
2012081158.tif 000002
【特許請求の範囲】
【請求項１】
本体内に回転自在に設けた回転ドラムと、前記回転ドラムを駆動するモータと、加熱手段により加熱された乾燥用空気を前記回転ドラム内に送風する送風ファンと、前記回転ドラムの前部を下方から支持する複数の第１のローラーとを備え、前記回転ドラムは、後部を支持部で支持するとともに、前部の外周部に前記複数の第１のローラーを当接し、少なくともその１つは、前記モータの回転を前記回転ドラムに伝達して前記回転ドラムを回転させるようにした衣類乾燥機。
【請求項２】
第１のローラーは、モータの回転を回転ドラムに伝達して回転させる少なくとも１つのローラーと、前記回転ドラムの回転に連動して回転し前記回転ドラムを支持する少なくとも１つのローラーとを有した請求項１記載の衣類乾燥機。
【請求項３】
回転ドラムの前部の外周部を上方から支持する第２のローラーを設けた請求項１または２記載の衣類乾燥機。
【請求項４】
モータの回転を回転ドラムに伝達する第１のローラーの伝達部に滑り止めを設けた請求項１〜３のいずれか１項に記載の衣類乾燥機。
【請求項５】
モータの回転を回転ドラムに伝達する第１のローラーの伝達部に噛み合い機構を設けた請求項１〜３のいずれか１項に記載の衣類乾燥機。
【請求項６】
モータと、前記モータの回転を回転ドラムに伝達する第１のローラーとの間に減速機構を設けた請求項１〜５のいずれか１項に記載の衣類乾燥機。
【発明の詳細な説明】
【技術分野】
【０００１】
本発明は、衣類等の乾燥をおこなう衣類乾燥機に関するものである。
【背景技術】
【０００２】
従来、この種の衣類乾燥機は、図７に示すような構成が一般的である。以下、その構成について説明する。図７に示すように、外装ケース１内に水平軸２を中心軸として回転する回転ドラム３が配置してある。回転ドラム３の前面に形成された衣類投入口４は外装ケース１の前面に開口しており、扉５で開閉できるようにしてある。外装ケース１内には、回転ドラム３の内部に設定される乾燥室６を含む循環風路７が構成してある。循環風路７は、途中に乾燥室６、送風室８、熱交換室９などを有し、乾燥室６の空気は、回転ドラム３の背壁面側に設けた排気口１０から送風室８に流れ、熱交換室９を通って乾燥室６の前方に設けた吹き出し口１１から乾燥室６に循環するようにしてある。矢印Ａは風の流れを示している。
【０００３】
送風室８にはファン１２が設けられ、加熱手段１３により高温に加熱された空気は、吹き出し口１１から乾燥室６内に供給され、その中の衣類１４の乾燥に供される。循環経路７の一部を形成する回転ドラム３の奥壁にフィルター１５を装着し、衣類１４から出るリントを捕捉するようにしている。１６は駆動源のモータで、その回転はベルト１７、１８を介して回転ドラム３およびファン１２に伝達される。
【０００４】
回転ドラム３用のベルト１７は、回転ドラム３に回転力を伝達するため、アイドラ機構１９によりテンションをかけ、回転ドラム３とベルト１７間に摩擦力を加え、モータ１６の回転を回転ドラム３に伝達するようにしたものである（例えば、特許文献１参照）。
【０００５】
また、回転ドラムの外周に、この回転ドラムを回転させるためのローラーを外接させ、モータの回転力がローラーを介して回転ドラムに伝達されるようにしたものが考えられている（例えば、特許文献２参照）。
【先行技術文献】
【特許文献】
【０００６】
【特許文献１】特開平７−２６５５９１号公報
【特許文献２】特開２００４−２４５８０号公報
【発明の概要】
【発明が解決しようとする課題】
【０００７】
しかしながら、特許文献１に記載の構成では、ベルト１７を介して回転ドラム３にモータ１６の回転力を伝達しているため、ベルト１７が切れたり、アイドラ機構１９によるテンション力の低下によりベルト１７が滑ったりして、回転ドラム３にモータ１６の回転力が伝達できない場合が生じるという問題があった。また、ベルト１７や複数のプーリを使ったベルト１７にテンションを与えるための機構を設ける必要があり、構成が複雑で組み立て時の作業性が悪いという課題があった。
【０００８】
また、特許文献２に記載のものは、回転ドラムを回転させるローラーが回転ドラムの背面中央に設けた回転ドラム軸側に設けてあり、ローラーの回転を回転ドラムの背面側で伝達する構成であるため、回転ドラム内に投入される衣類によって、回転ドラムの前面側を下方へ変位させる力が作用し、回転ドラムを円滑に回転させることができないという問題があった。
【０００９】
本発明は、前記従来の課題を解決するもので、モータの回転を確実に回転ドラムに伝達し、回転ドラムを安定して回転させることができる衣類乾燥機を提供することを目的とする。
【課題を解決するための手段】
【００１０】
前記従来の課題を解決するために、本発明の衣類乾燥機は、回転ドラムの前部を下方から支持する複数の第１のローラーを備え、前記回転ドラムは、後部を支持部で支持するとともに、前部の外周部に前記複数の第１のローラーを当接し、少なくともその１つは、モータの回転を前記回転ドラムに伝達して前記回転ドラムを回転させるようにしたものである。
【００１１】
これにより、投入される衣類の量や濡れ状態が変化した場合でも、モータの回転を確実に回転ドラムに伝達することができ、回転ドラムを安定して回転させることができる。
【発明の効果】
【００１２】
本発明の衣類乾燥機は、投入される衣類の量や濡れ状態が変化した場合でも、モータの回転を確実に回転ドラムに伝達することができ、回転ドラムを安定して回転させることができる。
【図面の簡単な説明】
【００１３】
【図１】本発明の実施の形態１における衣類乾燥機の縦断面図
【図２】同衣類乾燥機の図１のＢ−Ｂ断面図
【図３】本発明の実施の形態２における衣類乾燥機の縦断面図
【図４】本発明の実施の形態３における衣類乾燥機の縦断面図
【図５】本発明の実施の形態４における衣類乾燥機の縦断面図
【図６】本発明の実施の形態５における衣類乾燥機の縦断面図
【図７】従来の衣類乾燥機の縦断面図
【発明を実施するための形態】
【００１４】
第１の発明は、本体内に回転自在に設けた回転ドラムと、前記回転ドラムを駆動するモータと、加熱手段により加熱された乾燥用空気を前記回転ドラム内に送風する送風ファンと、前記回転ドラムの前部を下方から支持する複数の第１のローラーとを備え、前記回転ドラムは、後部を支持部で支持するとともに、前部の外周部に前記複数の第１のローラーを当接し、少なくともその１つは、前記モータの回転を前記回転ドラムに伝達して前記回転ドラムを回転させるようにしたことにより、投入される衣類の量や濡れ状態が変化した場合でも、モータの回転を確実に回転ドラムに伝達することができ、回転ドラムを安定して回転させることができる。
【００１５】
第２の発明は、特に、第１の発明の第１のローラーは、モータの回転を回転ドラムに伝達して回転させる少なくとも１つのローラーと、前記回転ドラムの回転に連動して回転し前記回転ドラムを支持する少なくとも１つのローラーとを有したことにより、複数の第１のローラーによって、モータの回転駆動を回転ドラムに伝達する機能と、回転ドラムの回転に連動して支持する機能を備えることができ、回転ドラムを安定して回転させることができる。
【００１６】
第３の発明は、特に、第１または第２の発明において、回転ドラムの前部の外周部を上方から支持する第２のローラーを設けたことにより、回転ドラムの上下方向の変位を抑えることができ、第１のローラーの回転を確実に回転ドラムに伝達することができる。
【００１７】
第４の発明は、特に、第１〜第３のいずれか１つの発明において、モータの回転を回転ドラムに伝達する第１のローラーの伝達部に滑り止めを設けたことにより、第１のローラーの回転を確実に回転ドラムに伝達することができる。
【００１８】
第５の発明は、特に、第１〜第３のいずれか１つの発明において、モータの回転を回転ドラムに伝達する第１のローラーの伝達部に噛み合い機構を設けたことにより、第１のローラーの回転を確実に回転ドラムに伝達することができる。
【００１９】
第６の発明は、特に、第１〜第５のいずれか１つの発明において、モータと、前記モータの回転を回転ドラムに伝達する第１のローラーとの間に減速機構を設けたことにより、回転ドラムと第１のローラーの直径比を小さくでき、第１のローラーの回転を確実に回転ドラムに伝達することができる。
【００２０】
以下、本発明の実施の形態について、図面を参照しながら説明する。この実施の形態によって本発明が限定されるものではない。
【００２１】
（実施の形態１）
図１は、本発明の第１の実施の形態における衣類乾燥機の縦断面図、図２は、図１のＢ−Ｂ断面図を示すものである。
【００２２】
図１および図２において、衣類２１等の被乾燥物を収容して乾燥させる回転ドラム２２は、乾燥機の本体２３内に回転自在に設けられている。本体２３の前面には、回転ドラム２２内に衣類２１等を投入する投入口２４ａを設けたドラム前板２４を配設している。ドラム前板２４の投入口２４ａの外側には、凹部に嵌入した環状のシール部材２５が設けてあり、このシール部材２５に回転ドラム２２の前方端面２２ａを摺動可能に接触させてあり、回転ドラム２２の前方端面２２ａとシール部材２５の間から乾燥用空気が漏れないように、シールされた状態で回転ドラム２２を回転可能にしている。
【００２３】
回転ドラム２２の前部の外周部に２個の第１のローラー２６ａ、２６ｂを設け、この第１のローラー２６ａ、２６ｂを外周部に当接して、回転ドラム２２の前面側を下方から支持している。第１のローラー２６ａは、モータ２８の駆動により回転し、回転ドラム２２に伝達して回転ドラム２２を回転させる。
【００２４】
第１のローラー２６ｂは、回転ドラム２２の回転によって回転し、ローラー支持部２６ｃによって回転自在に設けられ、回転ドラム２２の前面側を下方から支持している。第１のローラー２６ａ、２６ｂは、回転ドラム２２の回転中心から角度θで左右方向に同角度で配設され、回転ドラム２２の前方端面２２ａの近傍で下方からバランスよく支持している。
【００２５】
モータ２８の回転軸２８ａは、ドラム前板２４で一端が回転自在に支持され、モータ２８の駆動で第１のローラー２６ａを安定して回転させることができる。また、第１のローラー２６ｂは、ローラー支持部２６ｃによってドラム前板２４に回転自在に支持されている。
【００２６】
回転ドラム２２の後方は支持部２７で回転自在に支持している。したがって、回転ドラム２２は、後面側を支持部２７で支持し、前面側を第１のローラー２６ａ、２６ｂで支持している。
【００２７】
乾燥用空気を送風する送風ファン２９は、回転ドラム２２の背面側に設けてあり、ファンモータ２９ａにより回転する。乾燥用空気は、送風ファン２９により給気口３０を通り
加熱手段３１で加熱されて、衣類２１を入れた乾燥室としての回転ドラム２２内へ導入されるようにしている。
【００２８】
以上のように構成された衣類乾燥機について、以下その動作、作用を説明する。まず、乾燥させる衣類２１をドア３２を開いて投入口２４ａから回転ドラム２２内に入れる。次に、乾燥運転を開始すると、モータ２８が駆動し、第１のローラー２６ａが回転する。この第１のローラー２６ａの回転により、第１のローラー２６ａと回転ドラム２２の外周部が当接しており、その摩擦力によって回転ドラム２２が回転する。
【００２９】
回転ドラム２２内の衣類２１は、回転ドラム２２の内周面に設けられたバッフル２２ｂによって回転ドラム２２の回転方向へ持ち上げられ、回転ドラム２２内で攪拌される。また、送風ファン２９の回転により矢印Ａで示す乾燥用空気の流れが生じる。
【００３０】
乾燥用空気は、給気口３０を通り加熱手段３１で加熱されて、回転ドラム２２内へ送風され、衣類２１の水分を奪って排気口３３から機外へ排出され、衣類２１の乾燥が進行する。
【００３１】
シール部材２５に回転ドラム２２の前方端面２２ａを摺動可能に接触させているため、回転ドラム２２内に濡れた衣類が多量に投入されると、後方の支持部２７で支持されている回転ドラム２２は、衣類と衣類に含まれた水分の重みで前部が下方へ変位する力が作用する。
【００３２】
回転ドラム２２の前部が下方へ変位すると、シール部材２５への接触に偏りが生じて強くなり、回転ドラム２２を円滑に回転させることができなくなる。この偏りは投入される衣類の量や濡れ状態によって変化する。
【００３３】
しかしながら、回転ドラム２２の前部は、第１のローラー２６ａ、２６ｂで回転ドラム２２の前方端面２２ａの近傍で下方からバランスよく支持しているため、投入される衣類の量や濡れ状態が変化した場合でも、回転ドラム２２の前部の外周部に２個の第１のローラー２６ａ、２６ｂによって、モータ２８の回転を確実に回転ドラム２２に伝達することができ、回転ドラム２２を安定して回転させることができる。
【００３４】
すなわち、モータ２８の回転駆動を回転ドラム２２に伝達して回転させる第１のローラー２６ａと、回転ドラム２２の回転に連動して回転する第１のローラー２６ｂとで、回転ドラム２２の前面側を下方から支持したことにより、回転ドラム２２の前部にかかる荷重を支えると同時に回転力を伝達することができる。
【００３５】
以上のように、本実施の形態においては、回転ドラム２２の前部を複数の第１のローラー２６ａ、２６ｂにより支持し、回転ドラム２２は、後部を支持部２７で支持するとともに、前部の外周部に複数の第１のローラー２６ａ、２６ｂを当接し、少なくともその１つは、モータ２８の回転を回転ドラム２２に伝達して回転ドラム２２を回転させるようにしたものであり、これにより、投入される衣類の量や濡れ状態が変化した場合でも、モータ２８の回転を確実に回転ドラム２２に伝達することができ、回転ドラム２２を安定して回転させることができるものである。
【００３６】
（実施の形態２）
図３は、本発明の第２の実施の形態における衣類乾燥機の縦断面図である。本実施の形態の特徴は、回転ドラム２２の前部の外周部を上方から支持する第２のローラー３４を設けたものである。他の構成は実施の形態１と同じであり、同一の構成に同一の符号を付して、詳細な説明は実施の形態１のものを援用する。
【００３７】
第２のローラー３４は、ローラー支持部３４ａによってドラム前板２４の上部、すなわち、回転ドラム２２の支持部２７を中心として、第１のローラー２６ａ、２６ｂの反対側に配設され、回転ドラム２２の前方端面２２ａの近傍で回転自在に支持されており、回転ドラム２２の回転にともなって回転する。
【００３８】
これにより、乾燥運転時の回転ドラム２２の上下方向の変位を抑えることができ、モータ２８の駆動による第１のローラー２６ａの回転を確実に回転ドラム２２に伝達することができる。
【００３９】
（実施の形態３）
図４は、本発明の第３の実施の形態における衣類乾燥機の縦断面図である。本実施の形態の特徴は、モータ２８の回転を回転ドラム２２に伝達する第１のローラー２６ａの伝達部に滑り止め３５を設けたものである。他の構成は実施の形態１と同じであり、同一の構成に同一の符号を付して、詳細な説明は実施の形態１のものを援用する。
【００４０】
滑り止め３５は、摩擦係数の大な部材で構成している。第１のローラー２６ａが回転ドラム２２と接触している回転力の伝達部に設けてあり、回転ドラム２２の前方端面２２ａの近傍の外周部に形成している。なお、滑り止め３５は、第１のローラー２６ａ側に設けてもよく、また、第１のローラー２６ａと回転ドラム２２の両方に設けてもよい。
【００４１】
これにより、モータ２８の駆動による第１のローラー２６ａの回転を確実に回転ドラム２２に伝達することができる。
【００４２】
（実施の形態４）
図５は、本発明の第４の実施の形態における衣類乾燥機の縦断面図である。本実施の形態の特徴は、モータ２８の回転を回転ドラム２２に伝達する第１のローラー２６ａの伝達部に噛み合い機構３６を設けたものである。他の構成は実施の形態１と同じであり、同一の構成に同一の符号を付して、詳細な説明は実施の形態１のものを援用する。
【００４３】
噛み合い機構３６は、モータ２８の回転を回転ドラム２２に伝達する第１のローラー２６ａの伝達面、すなわち、円周面にギアを形成し、この第１のローラー２６ａのギアと噛み合うギアを回転ドラム２２の外周部に形成して構成している。なお、噛み合い機構３６は、第２のローラー３４にもギアを形成して回転ドラム２２との間に構成してもよい。
【００４４】
これにより、モータ２８の駆動による第１のローラー２６ａの回転を確実に回転ドラム２２に伝達することができる。
【００４５】
（実施の形態５）
図６は、本発明の第５の実施の形態における衣類乾燥機の縦断面図である。本実施の形態の特徴は、モータ２８と、このモータ２８の回転を回転ドラム２２に伝達する第１のローラー２６ａとの間に減速機構３７を設けたものである。他の構成は実施の形態１と同じであり、同一の構成に同一の符号を付して、詳細な説明は実施の形態１のものを援用する。
【００４６】
これにより、モータ２８を高速で回転させても回転ドラム２２と第１のローラー２６ａの直径比を大きくでき、モータ２８の駆動による第１のローラー２６ａの回転を確実に回転ドラム２２に伝達することができる。
【産業上の利用可能性】
【００４７】
以上のように、本発明にかかる衣類乾燥機は、投入される衣類の量や濡れ状態が変化した場合でも、モータの回転を確実に回転ドラムに伝達することができ、回転ドラムを安定して回転させることができるので、衣類乾燥機として有用である。
【符号の説明】
【００４８】
２２  回転ドラム
２３  本体
２６ａ  第１のローラー
２６ｂ  第１のローラー
２７  支持部
２８  モータ
２９  送風ファン
３１  加熱手段
【図１】
2012081158.tif 000003
【図２】
2012081158.tif 000004
【図３】
2012081158.tif 000005
【図４】
2012081158.tif 000006
【図５】
2012081158.tif 000007
【図６】
2012081158.tif 000008
【図７】
2012081158.tif 000009